(57)【要約】【課題】仕上シートで構造物の内側面を覆うことにより、構造物の内側面を仕上するにあたり、仕上シートに凹凸を付けられる照明装置を提供する。【解決手段】照明装置１００は、構造物に固定されるベース１１０と、ベース１１０に着脱自在に固定される筒状体１２０と、筒状体１２０の先端に固定されるキャップ１３０とを備えている。筒状体１２０の先端と、キャップ１３０の一方の面には、筒状体１２０にキャップ１３０を嵌めたときに、互いに当接し合う第１リング面１２２と第２リング面１３４が設けられている。第１リング面１２２と第２リング面１３４で挟持されることで筒状体１２０の先端に固定された仕上シート２００を、筒状体１２０の先端で仕上シート２００の背面側から押出し、又は仕上シート２００の背面側に引込むことで、仕上シート２００に凹凸を付けることができる。【選択図】図２
2007284884.tif 000002
【特許請求の範囲】
【請求項１】
構造物の内側面のうち、その前面を透光性を有し伸縮性のある膜材である仕上シートで覆われる対象面に設置して用いられる照明装置であって、
前記対象面にその基端を固定できるようにされ、且つ前記仕上シートにその先端を固定できるようにされた筒状の筒状体と、
前記筒状体の内部に配された光源と、を有しており、
前記仕上シートの前記筒状体の先端と固定された部分を、前記筒状体の先端で前記仕上シートの背面側から押出すか、又は前記筒状体の先端で前記仕上シートの背面側に引込むことにより、前記仕上シートに凹凸を形成できるようにされてなる、照明装置。
【請求項２】
前記筒状体は少なくとも２つ準備されているとともに、
少なくとも２つ以上の前記筒状体のうちの２つは、前記対象面からの長さが互いに異なるようにされ、且つ少なくとも２つ以上の前記筒状体のそれぞれは前記対象面に固定されるベースに対して着脱自在に取付けられるようにされている、
請求項１記載の照明装置。
【請求項３】
前記筒状体の先端部の形状は、円形である、
請求項１又は２記載の照明装置。
【請求項４】
前記筒状体は、円筒形とされている、
請求項３記載の照明装置。
【請求項５】
前記筒状体の先端には、前記筒状体の軸方向に対して略垂直であり、且つ前記対象面から遠い側に臨むリング状の第１リング面が設けられているとともに、
その第１リング面に対応するリング状の第２リング面を有し、且つ前記筒状体の先端に着脱自在に固定可能な係止体を有しており、
前記第１リング面と前記第２リング面の間に前記仕上シートを挟持させた状態で前記係止体を前記筒状体の先端に固定することにより、前記筒状体の先端に前記仕上シートを固定するようになっている、
請求項１記載の照明装置。
【請求項６】
前記第１リング面の外縁は、前記対象面に近づく方向に湾曲するように面取りされている、
請求項５記載の照明装置。
【請求項７】
前記第２リング面の外縁は、前記対象面から遠ざかる方向に湾曲するように面取りされている、
請求項５記載の照明装置。
【請求項８】
構造物の内側面のうち、その前面を透光性を有し伸縮性のある膜材である仕上シートで覆われる対象面を覆う仕上シートに凹凸を形成する方法であって、
前記対象面にその基端を固定できるようにされ、且つ前記仕上シートにその先端を固定できるようにされた筒状の筒状体と、前記筒状体の内部に配された光源と、を有している照明装置を、前記筒状体の基端を前記対象面に固定することにより前記対象面に固定し、
前記対象面にその基端を固定された前記筒状体の先端に、前記仕上シートを固定し、
それにより、前記仕上シートの前記筒状体の先端と固定された部分を、前記筒状体の先端で前記仕上シートの背面側から押出すか、又は前記筒状体の先端で前記仕上シートの背面側に引込むことで、前記仕上シートに凹凸を形成する、
仕上シートに凹凸を形成する方法。
【発明の詳細な説明】
【技術分野】
【０００１】
本発明は、構造物の内側面のうち仕上の対象となる対象面を、伸縮性のある膜材によって覆うことで仕上する技術に関する。
【背景技術】
【０００２】
構造物の内側面（この明細書では、『構造物の内側面』の語は、天井と、壁を意味する。）は、天井であれば天井パネルにより、壁であれば壁紙により仕上されるのが一般的である。
他方、天井や、壁を、伸縮性のある膜材を張渡して覆うことによって仕上る技術が提案されている。膜材による内側面の仕上は、天井パネルの固定よりも、壁紙を貼り付けるよりも容易である、また、膜材を用いて内側面の仕上げを行うと膜材の有する柔らかな質感を得ることができるので美観に優れる、更に、透光性を有する膜材の背後に照明を配した場合には簡単に間接照明を実現できる、などの利点がある。
【０００３】
膜材で構造物の内側面を覆うことにより、構造物の内側面を仕上するこのような技術の利点をより大きなものとすべく、本願発明者は研究を重ねた。
その結果、本願発明者が想到したのが以下の発明である。
【発明の開示】
【発明が解決しようとする課題】
【０００４】
本発明は、膜材で構造物の内側面を覆うことにより、構造物の内側面を仕上する技術をより発展させることをその課題とする。
【課題を解決するための手段】
【０００５】
本願発明者は、膜材、それも伸張性のある膜材はその形状を自由に変化させることができるという点に着目して以下の発明を行った。
本願発明は、構造物の内側面のうちその前面を伸縮性のある膜材である仕上シートで覆われる対象面に設置して用いられる照明装置である。そして、その照明装置は、前記対象面にその基端を固定できるようにされ、且つ前記仕上シートにその先端を固定できるようにされた筒状の筒状体と、前記筒状体の内部に配された光源と、を有しており、前記仕上シートの前記筒状体の先端と固定された部分を、前記筒状体の先端で前記仕上シートの背面側から押出すか、又は前記筒状体の先端で前記仕上シートの背面側に引込むことにより、前記仕上シートに凹凸を形成できるようにされてなる。
このような照明装置を用いれば、膜材に凹凸を形成することが容易となる。この場合、天井、或いは壁にできる凹凸は、天井、或いは壁の一断面について見た場合には、カテナリー曲線状のカーブを描く。このようなカーブを描く美しい天井、或いは壁は、今までにはないものである。したがって、上述の照明装置を用いれば、内側面のうちの仕上げを行うべき対象面を、今までにない美観を生じるように仕上ることができるようになる。更に、この照明装置を用いれば、照明装置が有する光源が透光性を有する膜材の背面側（膜材の対象面側）に入ることになるから、光源からの光が膜材を通して室内に入ることになる。したがって、かかる照明装置を用いて、仕上シートを用いた対象面の仕上げを行えば、仕上シートの凹凸と間接照明との組合わせによる、美観に非常に優れた対象面の仕上げを実現することができる。
なお、照明装置の筒状体は、その基端が対象面の表面に固定されるようになっていてもよいし、その基端が対象面に埋設されるようになっていても構わない。
また、筒状体は、透明、半透明、或いはメッシュ状の素材により成形するなどして、透光性を有するようにすることができる。
【０００６】
照明装置が備える筒状体は１つでもよいが、２つ以上準備されていてもよい。この場合、少なくとも２つ以上の前記筒状体のうちの２つは、前記対象面からの長さが互いに異なるようにされていてもよく、また、少なくとも２つ以上の前記筒状体のそれぞれは、前記対象面に固定されるベースに対して着脱自在に取付けられるようにされていてもよい。
対象面に取付けられる照明装置は１つとは限らない。むしろ、複数とされる場合が多いと考えられる。上述のような照明装置であれば、共通の部品であるベースにどの筒状体を固定するかによって、照明装置が存在する部分の仕上シートと対象面の距離を変化させることができる。これにより、仕上シートに与える凹凸をより複雑なものとすることができるようになるので、仕上シートによって生じる美観をより向上させられるようになる。
なお、この場合、光源は、ベースに取付けられるようにすることができる。
【０００７】
前記筒状体の先端部の形状は、どのような形状であってもよいが、例えば、円形とすることができる。この場合、仕上シートは、円形とされた筒状体の先端部に固定されることとなる。円形とされた筒状体の先端部に仕上シートが固定されると、筒状体に固定された部分の仕上シートには全方向に均一にテンションが入ることになる。これにより、仕上シートに生じる上述のカテナリー曲線が美しいものとなる。
先端部が円形とされた筒状体は、その全体が円筒形とされていてもよい。
【０００８】
筒状体の先端に仕上シートを固定するための構造はどのようなものであっても構わない。なお、本願において、「筒状体の先端」という語には、筒状体の真の先端のみならず、先端近辺の部分も含むものとする。
例えば、前記筒状体の先端には、前記筒状体の軸方向に対して略垂直であり、且つ前記対象面から遠い側に臨むリング状の第１リング面が設けられていてもよい。この場合、照明装置は、その第１リング面に対応するリング状の第２リング面を有し、且つ前記筒状体の先端に着脱自在に固定可能な係止体を有していてもよい。このような照明装置では、前記第１リング面と前記第２リング面の間に前記仕上シートを挟持させた状態で前記係止体を前記筒状体の先端に固定することにより、前記筒状体の先端に前記仕上シートを固定する。面状の第１リング面と第２リング面の間で仕上シートを挟持することにより、筒状体の先端への仕上シートの固定を安定して行えるようになる。
なお、第１リング面は、筒状とされた筒状体の内側に張出してもよいし、外側に張出してもよいし、その双方に張出してもよい。
前記第１リング面の外縁は、前記対象面に近づく方向に湾曲するように面取りされていてもよい。このような面取りがされていれば、仕上シートの筒状体の先端と固定された部分が筒状体の先端によって仕上シートの背面側から押出される場合に、仕上シートが面取りされた部分に沿って対象面に近づくことになるので、仕上シートにかかる負担を小さくすることができる。
前記第２リング面の外縁は、前記対象面から遠ざかる方向に湾曲するように面取りされていてもよい。このような面取りがされていれば、仕上シートの筒状体の先端と固定された部分が筒状体の先端によって仕上シートの背面側に引込まれる場合に、仕上シートが面取りされた部分に沿って対象面から離れることになるので、仕上シートにかかる負担を小さくすることができる。
【０００９】
本願は、構造物の内側面のうち、その前面を透光性を有し伸縮性のある膜材である仕上シートで覆われる対象面を覆う仕上シートに凹凸を形成する方法をも提供する。
この方法では、前記対象面にその基端を固定できるようにされ、且つ前記仕上シートにその先端を固定できるようにされた筒状の筒状体と、前記筒状体の内部に配された光源と、を有している照明装置を、前記筒状体の基端を前記対象面に固定することにより前記対象面に固定し、前記対象面にその基端を固定された前記筒状体の先端に、前記仕上シートを固定し、それにより、前記仕上シートの前記筒状体の先端と固定された部分を、前記筒状体の先端で前記仕上シートの背面側から押出すか、又は前記筒状体の先端で前記仕上シートの背面側に引込むことで、前記仕上シートに凹凸を形成する。
この場合、照明装置は複数であってもよい。また、照明装置が複数である場合において、複数の照明装置の少なくとも１つの筒状体は、その筒状体の先端から対象面までの距離が、他の照明装置に含まれる筒状体の先端から対象面までの距離とは異なるようにされていてもよい。
【発明を実施するための最良の形態】
【００１０】
以下、本発明の好ましい実施形態を、図面を参照しながら詳細に説明する。
【００１１】
この実施形態では、図１に示したような構造物１０の基礎天井１１の下方に、基礎天井１１の全面を覆うような膜天井を構築するものとする。この実施形態における構造物１０は、必ずしもそうである必要はないが、建築物の一室となっている。
この実施形態では、基礎天井１１の全面を仕上シートで覆う。この実施形態では、基礎天井１１の全面が本発明でいう対象面となる。なお、基礎天井１１を覆うのと同様の後述する方法を実行することにより、壁を仕上シートで覆うことも可能である。この場合、壁が本発明でいう対象面となる。
【００１２】
この実施形態で膜天井を構築するのに用いられる照明装置の構成について説明する。照明装置の構成を図２に示す。図２に示された照明装置の左半分は通常の側面図、右半分は断面図となっている。なお、図３に示された照明装置も同様の約束事に則って示されている。
この照明装置１００は、ベース１１０と、筒状体１２０と、キャップ１３０とを備えている。
【００１３】
ベース１１０の全体形状は、この実施形態では、薄い円筒形である。
ベース１１０は、対象面に固定されることが予定されている円形のベース板１１１と、ベース板１１１の全周から垂直に立ち上げられた側面板１１２と、を備えている。ベース板１１１と側面板１１２は、この実施形態では樹脂による一体成形品である。
ベース板１１１には、ソケット１１３が取付けられている。ソケット１１３は、電球１１４を着脱自在に固定するためのものである。この実施形態における電球１１４は、ごく一般的な市販の電球であり、螺合によってソケット１１３に取付けられるようになっている。ソケット１１３は図示を省略のコードにより外部の電源と接続されており、その電源から供給される電力によって電球１１４を点灯させられるようになっている。
側面板１１２の内側には図示を省略するがネジが切られている。
【００１４】
筒状体１２０の全体形状は、この実施形態では、円筒形である。筒状体１２０は、この実施形態では、樹脂製の一体成形品とされており、透光性を有するようにされている。この実施形態の筒状体１２０は、透明又は半透明の透光性を有する樹脂でできている。もっとも、筒状体１２０は、樹脂以外の素材、例えば、ガラスやボーンチャイナ等のセラミックでできていても構わない。
この実施形態では、筒状体１２０は、その軸方向の長さが異なる何通りかのものが準備されている。何通りかの筒状体１２０は、その基端部近辺、先端部近辺の構造はどれも共通するものとなっており、筒状体１２０の長さのみが異なるようにされている。
筒状体１２０はその基端側でベース１１０に固定できるようにされている。それが可能なように、筒状体１２０の基端側の外側には、ベース１１０の側面板１１２の内側に切られたネジに螺合できるようにされたネジが切られている。筒状体１２０は、その全体を軸を中心に回転させながらその基端のネジを、ベース１１０の側面板１１２の内側に設けられたネジに螺合させることで、着脱自在としながらベース１１０に固定することができる。
筒状体１２０の先端には、リング部１２１が設けられている。リング部１２１は、この実施形態では、筒状体１２０先端の若干基端寄りの部分を、リング状に外側に張出させて構成されている。リング部１２１の先端側にある平面状の面が、第１リング面１２２である。この実施形態のリング部１２１の外縁は、第１リング面１２２の外縁が筒状体１２０の先端から遠ざかる方向にカーブを描くように面取りされている。
【００１５】
次に、キャップ１３０の構造について、説明する。
キャップ１３０は、この実施形態では、略円形に構成されている。
この実施形態のキャップ１３０は、透明な樹脂により一体形成されており、円板部１３１、係止壁１３２、係止リング１３３を備えている。もっとも、キャップ１３０は、必ずしも透明である必要はなく、半透明、或いは不透明であってもよい。また、キャップ１３０は、樹脂製である必要はなく、また、一体物である必要もない。例えば、キャップ１３０は、金属でできていても構わないし、また金属と樹脂などの異なる素材でできた複数の部材から構成されていてもよい。
円板部１３１は、キャップ１３０の中心的な部分であり、筒状体１２０の先端の内側よりも若干小さな円形の板とされている。
係止壁１３２は、円板部１３１の周縁部から立ち上げられた板状の部分であり、その外周面が筒状体１２０の内側面に略対応する形状を持つようにされている。係止壁１３２を筒状体１２０の先端の内側に押込むと、係止壁１３２の外側面と筒状体１２０の内側面が密接し、摩擦力によって両者は固定されることになる。これにより、キャップ１３０は、筒状体１２０の先端に着脱自在に固定できるようにされている。
係止リング１３３は、円板部１３１の外縁から外側に向かって張出しているリング状の部材である。そして、その先端の、キャップ１３０が筒状体１２０に固定された場合における筒状体１２０の先端から遠い側に、平面状の部分が設けられている。この平面状の部分が、第２リング面１３４である。第２リング面１３４は、キャップ１３０が筒状体１２０に固定されたときに、筒状体１２０の第１リング面１２２と密着するようになっている。後述するように、仕上シートは、この第１リング面１２２と第２リング面１３４の間に挟持され、筒状体１２０の先端に固定されることとなる。
なお、係止リング１３３の外縁は、第２リング面１３４の外縁が筒状体１２０の先端に近づく方向にカーブを描くように面取りされている。なお、後述する変形例における係止リング１３３の場合のように、この面取りを設けないことも当然に可能である。
【００１６】
筒状体１２０の先端付近の形状と、キャップ１３０の形状は、筒状体１２０の先端に仕上シートを固定できるのであれば、上述の構成以外も採用することができる。
例えば、筒状体１２０の先端の形状と、キャップ１３０の形状を、図３に示したように変形することができる。
変形例にかかるこの筒状体１２０の先端にも、上述の筒状体１２０と同様のリング部１２１が設けられている。ただし、このリング部１２１は、上述の場合と異なり、筒状体１２０の最先端に設けられており、且つ筒状体１２０の外縁の内外双方に張出すようにされている。このリング部１２１の先端側にある平面状の面が、第１リング面１２２となっている。このリング部１２１の外縁は、図３に示したように、第１リング面１２２の外縁が筒状体１２０の先端から遠ざかる方向にカーブを描くように、上述した筒状体１２０の場合と同様、面取りされている。なお、このリング部１２１の内縁は湾曲させられており、外側に向かって凹んだ略Ｕ字状の溝１２３が設けられている。
このような変形例にかかる筒状体１２０と組合わせて用いられるキャップ１３０は、次のようなものである。
このキャップ１３０は、上述したキャップ１３０と同様に、円板部１３１、係止壁１３２、係止リング１３３を備えている。
円板部１３１は、上述したキャップ１３０のそれと同様である。係止壁１３２も上述したキャップ１３０のそれと同様であるが、円板部１３１の周縁部から立ち上げられたその高さが上述の場合よりも小さくされている。上述した円板部１３１の外周面が筒状体１２０の内側面と当接させることを予定したものであるのに対して、この係止壁１３２がリング部１２１の内縁の湾曲させられた部分の内側と当接させることを予定したものであることに基づいて、かかる相違が設けられている。このキャップ１３０の係止リング１３３は、円板部１３１の外縁から外側に向かって張出しており、キャップ１３０が筒状体１２０に固定された場合における筒状体１２０の先端から遠い側に、平面状の部分が設けられている。この平面状の部分が、第２リング面１３４となる。第２リング面１３４は、キャップ１３０が筒状体１２０に固定されたときに、筒状体１２０の第１リング面１２２と密着するようになっている。なお、この変形例のキャップ１３０の係止リング１３３の内側は、上述した変形例による筒状体１２０のリング部１２１が備える溝１２３と嵌り合うように張出されている。変形例によるキャップ１３０は、係止壁１３２を筒状体１２０の先端の内側に押込むことにより筒状体１２０の先端に固定される。このとき、係止壁１３２の外側面と筒状体１２０のリング部１２１の内側面が密接して摩擦力により互いに固定されるとともに、係止リング１３３の内側の張出した部分と筒状体１２０の溝１２３とが係止し合う。変形例による筒状体１２０とキャップ１３０は、この構成によって、係止壁１３２の円板部１３１の周縁部から立ち上げられた高さが小さくとも、しっかりとした固定を行えるようにされている。
なお、この変形例のキャップ１３０における係止リング１３３の外縁部には、上述したキャップ１３０で設けられていた面取りを設けていないが、これを設けることはもちろん可能である。
【００１７】
次に、以上で説明した照明装置を用いて、基礎天井１１の全面を覆うような、凹凸を有する膜天井を構築する方法について説明する。
【００１８】
この方法では、まず、基礎天井１１の適当な部分に、照明装置を取付ける。
照明装置の取付けは、まず、ベース１１０を基礎天井１１に固定することにより開始する。この実施形態では、複数のベース１１０を、例えば、縦横に点在するようにして、基礎天井１１に固定する。
ベース１１０の基礎天井１１への固定は、図４（Ａ）に示したような状態で、基本的には、基礎天井１１の表面に対して行う。ベース１１０の基礎天井１１への取付けは、ネジ止め、接着など適当な方法で行えばよい。なお、ベース１１０は、図４（Ｂ）に示したような状態で、基礎天井１１にその少なくとも一部が埋め込まれてもよい。また、ベース１１０は、そのうちの一部が図４（Ａ）に示したような状態で、基礎天井１１の表面に対して、また他の物が図４（Ｂ）に示したような状態で、基礎天井１１にその少なくとも一部が埋め込まれた状態で、基礎天井１１に取付けられてもよい。
次に、ベース１１０のソケット１１３に電球１１４を嵌め込む。なお、電球１１４は、ベース１１０の基礎天井１１への取付け前に、ソケット１１３に取付けられていても構わない。
次に、ベース１１０に対して筒状体１２０を取付ける。この状態を、図５に示す。この取付けは、筒状体１２０を軸を中心に回転させながらその基端のネジを、ベース１１０の側面板１１２の内側に設けられたネジに螺合させることにより行う。この場合、各ベース１１０に固定する筒状体１２０の長さは、異なるものとすることができる。
【００１９】
次に、仕上シート２００を張り渡す。この状態を図６（Ａ）に示す。
この実施形態における仕上シート２００は、この実施形態では、その端部を、４つの壁面のそれぞれに固定して、対象面の下側に張り渡される。仕上シート２００の端部の壁面に対する固定はどのような手法で行ってもよい。例えば、仕上シート２００の端部を壁面にビス止めするなどして、仕上シート２００を４つの壁面のそれぞれに固定することができる。
この実施形態における仕上シート２００の大きさは、基礎天井１１の大きさよりも一回り小さい矩形とされている。もっとも、仕上シート２００は、膜天井形成時にその全体にテンションがかかるような適当な大きさ、形状にしておけばよい。
また、この実施形態で使用される仕上シート２００は、伸縮性を有するものとされている。この実施形態における仕上シート２００は、必ずしもこの限りではないがポリエステル製であり、また、編布である。ただし、仕上シート２００は、織布であってもよい。なお、仕上シート２００の伸び率は、２０〜３０％程度とするのが望ましい。また、この実施形態で使用される仕上シート２００は、透光性を有するものとされている。
仕上シート２００は、必ずしもそうする必要はないが、この実施形態では水平に取付けられる。仕上シート２００が４つの壁面のそれぞれに固定される垂直方向の位置は、この実施形態では、照明装置１００の筒状体１２０の最も低い位置にある先端と、最も高い位置にある先端の間とする。
したがって、張り渡された仕上シート２００の基礎天井１１側の面は、それよりも先端の位置が高い筒状体１２０には接しないけれども、それよりも先端の位置が低い筒状体１２０には接した状態となる。
【００２０】
この状態で、各照明装置１００の筒状体１２０の先端にキャップ１３０を嵌めることにより、仕上シート２００は、筒状体１２０の先端とキャップ１３０の間で、より詳細には、筒状体１２０の第１リング面１２２と、キャップ１３０の第２リング面１３４の間で挟持され、筒状体１２０の先端に固定される。
キャップ１３０の取付け方について、補足する。
仕上シート２００よりも、先端の位置が高い筒状体１２０にキャップ１３０を取付ける場合には、その筒状体１２０の直下にある仕上シート２００を、その筒状体１２０の先端に当接するまで押上げる。その状態で、キャップ１３０を筒状体１２０に固定しても構わないが、この実施形態では、仕上シート２００の筒状体１２０の内側の部分を切取る。かかる仕上シート２００の切取りは、例えば、仕上シート２００の下側からナイフ等の刃物を仕上シート２００に当接させ、筒状体１２０の内側をガイドとして用いながら刃物を丸く動かして行う。これにより、仕上シート２００に円形の孔が開く。
次に、仕上シート２００を更に上方に持上げると、その孔が広がり、仕上シート２００の孔の端部が、筒状体１２０の第１リング面１２２に乗り上げた状態となる。この実施形態では、その状態で、仕上シート２００を筒状体１２０の第１リング面１２２と、キャップ１３０の第２リング面１３４の間で挟持しながら、キャップ１３０を筒状体１２０の先端に固定する。
これにより、その位置の仕上シート２００は、当初張渡された位置よりも上方へ引き上げられた状態で、言い換えれば、基礎天井１１に近い側に引き込まれた状態で、筒状体１２０の先端に固定されることになる。このとき、仕上シート２００は、図２中の２００Ａで示された状態となる。
他方、仕上シート２００よりも、先端の位置が低い筒状体１２０にキャップ１３０を取付ける場合にも略同様のことを行う。ただし、この場合には、仕上シート２００は、筒状体１２０の先端に既に当接しているので、仕上シート２００を上方に引き上げる必要はない。この場合には、筒状体１２０の先端に当接している仕上シート２００を、上述の場合同様必ずしも必要ではないが、刃物を用いて丸くくり抜く。次いで、仕上シート２００を更に上方に持上げ、仕上シート２００の孔の端部を筒状体１２０の第１リング面１２２に乗り上げさせる。次いで、キャップ１３０を筒状体１２０の先端に固定する。
このようにすると、その位置の仕上シート２００は、当初張渡された位置よりも下方へ引き下げられた状態で、言い換えれば、基礎天井１１から遠い側に押し出された状態で、筒状体１２０の先端に固定されることになる。このとき、仕上シート２００は、図２中の２００Ｂで示された状態となる。
以上のようにして、波打つような凹凸のある膜天井が完成する。完成した膜天井の状態を、図６（Ｂ）に示す。
【図面の簡単な説明】
【００２１】
【図１】本発明の照明装置を用いて凹凸を有する膜天井が構築される構造物の構成を概略で示す側断面図。
【図２】本発明の照明装置の一例の構成を示す断面図を含む側面図。
【図３】本発明の照明装置の他の例の構成を示す断面図を含む側面図。
【図４】図１に示した基礎天井にベースを取付けた状態を示す図。
【図５】図４に示した基礎天井に筒状体を取付けた状態を示す図。
【図６】（Ａ）は、基礎天井に仕上シートを張渡した状態を示す図、（Ｂ）は仕上シートを照明装置の先端に固定した状態を示す図。
【符号の説明】
【００２２】
１０  構造物
１１  基礎天井
１００  照明装置
１１０  ベース
１２０  筒状体
１２１  リング部
１２２  第１リング面
１３０  キャップ
１３２  係止壁
１３３  係止リング
１３４  第２リング面
【図１】
2007284884.tif 000003
【図２】
2007284884.tif 000004
【図３】
2007284884.tif 000005
【図４】
2007284884.tif 000006
【図５】
2007284884.tif 000007
【図６】
2007284884.tif 000008